(57)【要約】      （修正有）【課題】磁気の吸引力と反発力とを利用し、自力で継続的に駆動させることができる動力機を提供する。【解決手段】シャフト１を支点とする磁気体３、６のシーソー作用で円筒体６の回転力を得て、左右の磁気体３、６間の吸引力、反発力でシーソー作用を継続させる。【選択図】図１
2017034955.tif 000002
【特許請求の範囲】
【請求項１】
強力磁気体を扱うにあたって、不用意に合体させてしまうと、離すのが困難でまた危険である。（本例示では、左上部磁気体▲３▼２枚重ねの下表面をＮ極、右上部磁気体▲３▼２枚重ねの下表面をＮ極で固定としているが、反対でもよい）
ただ表面には特に金属物を吸着させないよう保護のこと。
１．  下部の磁気体▲７▼２枚は非電導質で、中心軸ある円筒体の中において、その中心をはさみ平行に並び置き、中心軸の両隙間は金属でうめる、円筒体▲６▼はプラスチックのパイプで、内部の隙間は石膏等で埋める、
２．  下部円筒体ので固定は、左上部磁気体▲３▼（下表面）Ｎ極が最頂上値にあるときの左下部磁気体▲７▼の最上部もＮ極。反対側に右上部磁気体▲３▼（下表面）Ｎ極が最下降値に達しているときは右下部磁気体▲７▼の最上部はＳ極で吸引し合う
３．  磁気体同志の吸引、反発は強力であるが下部円筒体▲６▼は串刺しの形態になっているので軽く反転させることができる。
【請求項２】
シーソーの上下動を回転力に変え出力している、また左右は相似の組織体でそのすべてをベルトで繋いでいる、かりに一方が磁場を逸脱していても反対側が強力になる、つまり、双方が助力関係で一体である。
【請求項３】
均整ある動きであるため分銅体▲１１▼を上部中心軸シャフト▲１▼に固定、全体の動きをコントロールする。
【請求項４】
出力体▲９▼に、片側廻りのみ駆動（反対廻り滑り）の歯車付きプーリを密着させ、外部に出力する、その出力機を手前と奥とに２台設置するが、仮に手前を左廻り、奥を右廻りにと設置すれば発電エネルギーとなる。
【請求項５】
これ等、図面表示の▲１▼から▲８▼のセットを各シャフトを伸ばし増設すれば、出力も倍増する。
【発明の詳細な説明】
【概要】
本発明は、磁気の吸引力と反発力とを利用し、上部の磁気体の上下動と下部の円筒内の磁気体の１８０度反転動とをベルトの繋がりで相互に全てが一体となり、自力で継続的に駆動させることができる動力機である。
なお、説明に当たり、上部下部に分け以下にて説明します。
【０００１】上部において、
（１）上部中心に、土台から立ち上がった中心軸に回転可能なシャフト▲１▼を付設。
（２）その左右に、羽を広げたように、非電導質の平板▲２▼を接着固定
（３）平板の振り幅は４０度とする。
（４）平板の両端に磁気体（下表面にＮ極）▲３▼を固定設置
（５）平板両端から、片側に歯型状ベルト▲４▼（以下、単にベルトと称します）を垂らす。
（６）そのベルトは、下部の各装置を経て、凵の字形に伸び、反対側の平板に達し繋がる。
（７）ただし、平板の振り幅４０度に依るベルト▲４▼の上下動の長と、下部の円筒体▲６▼の半径の長さとは同一でなければならない。
（８）本体が均整ある動きであるため、シャフト▲１▼に分銅体▲１１▼を定着させ、その振り幅も４０度とする。
【０００２】下部において
（１）下部の両端に土台から立ち上がった基軸に回転可能なシャフト▲５▼を設置
（２）上部から垂れ下がったベルトは、両端シャフトの外側を迂回し、内側に向かう。
（３）内側には、土台から立ち上がった回転可能な非電導質の円筒体▲６▼を設け、その内部に、上部の磁気体▲３▼と対峙する位置に磁気体▲７▼を内蔵固定。
（４）その円筒体▲６▼の表面は、ベルトが滑らないようベルトと同形の歯形の凹凸を形成する
（５）円筒体▲６▼の横にベルトが密着できるように、土台から立ち上がって回転可能なシャフト▲８▼を付設。
（６）中央部には左右から駆動されくる動力を外部に出す出力体▲９▼（土台から立ち上がった）を設置。
（７）この出力体▲９▼が出力時、ベルトが滑らないよう、ベルトと同形の歯形の凹凸を形成し、ベルトの密着をよくするよう左右に、土台から立ち上がって回転可能なシャフト▲１０▼を付設
【０００３】自力で交互に、継続的に一体がシーソーの動きをする例示。
（１）左端に停止中の分銅▲１１▼が左旋回開始に依り。
（２）上部の左平板と左磁気体▲３▼とがベルトに引かれ下降、右平板と右磁気体▲３▼とがベルトに引かれ上昇となり、全ベルトは右進行となる。
また、左右が相似体の組織であるため対象的な動きをする。
（３）左部において
▲１▼．常時下表面がＮ極に固定されている上部磁気体▲３▼は下降開始。
▲２▼  下部の円筒体▲６▼の右回転開始に依り内蔵の磁気体▲７▼も右反転開始。
▲３▼  回転の中途から、下表面にあったＳ極が上表面に向かい相互の吸引力で上部磁気体▲３▼と最接近となる。
（４）右部において
▲１▼  常時下表面がＮ極に固定されている上部右磁気体▲３▼は、左の上部磁気体▲３▼の下降力と分銅▲１１▼の左旋回力等に依り、また右下部磁気体▲７▼の上表面がＳ極からＮ極出現で双方反発で、上部磁気体▲３▼は上昇せざるを得なくなる。
（５）今度は、反対に左いっぱいに達していた分銅▲１１▼は右旋回開始に依り右平板▲２▼の降下、そして左平板▲２▼の上昇となり、全ベルトは同時に左進行となる。
（６）つまり、左部において、
▲１▼．常時、下表面がＮ極に固定されている上部左磁気体▲３▼は、右上部磁気体▲３▼の下降力と分銅の右旋回開始等で
▲２▼．左円筒体▲６▼の左反転で内蔵の磁気体▲７▼の上表面にあったＳ極が下面に移ることになり、下表面だったＮ極の上部出現で、双方反発力等で上昇せざるを得なくなる。
（７）右部においても。
▲１▼．常時、下表面Ｎ極に固定されている上部右磁気体▲３▼はベルトに引かれ下降開始
▲２▼．下部の円筒体▲６▼も左回転開始、内蔵の磁気体▲７▼も左反転開始で下表面だったＳ極が最頂上に達し、上部磁気体と最接近する、
（８）また即、次の反転と吸引とが始まり、永遠に続く。
【図面の簡単な説明】
【０００４】▲１▼  上部中心で回転可能なシャフト
▲２▼  シャフトに接着固定で左右に伸ばした、非電導質の平板
▲３▼  平板の両端に磁気体（下表面にＮ極固定）設置
▲４▼  平板の両端から片側歯状成形で各装置を連携しているベルト
▲５▼  垂れ下がったベルトが、回転可能なシャフトの外側を迂回させ、各装置を緩まず経由させる。
▲６▼  上記▲３▼との磁気作用、ベルトのけん引等で安易に１８０度反転可能になる。
▲７▼  上記▲３▼と同等の磁気体設置、中心には回転可能なシャフト設けている
▲８▼  円筒体▲６▼がベルトと密着できるよう付設
▲９▼  左右から駆動されてくる動力の出力機
▲１０▼  出力が完全であるため
▲１１▼  全体が均整ある動きであるため
【図１】
2017034955.tif 000003
【手続補正書】
【提出日】平成27年9月17日(2015.9.17)
【手続補正２】
【補正対象書類名】明細書
【補正対象項目名】０００４
【補正方法】変更
【補正の内容】
【０００４】
【図１】  本発明の動力機を示す正面図である。▲１▼  上部中心で回転可能なシャフト  ▲２▼  シャフトに接着固定で左右に伸ばした、非電導質の平板  ▲３▼  平板の両端に磁気体（下表面にＮ極固定）設置  ▲４▼  平板の両端から片側歯状成形で各装置を連携しているベルト  ▲５▼  垂れ下がったベルトが、回転可能なシャフトの外側を迂回させ、各装置を緩まず経由させる。▲６▼  上記▲３▼との磁気作用、ベルトのけん引等で安易に１８０度反転可能になる。▲７▼  上記▲３▼と同等の磁気体設置、中心には回転可能なシャフト設けている  ▲８▼  円筒体▲６▼がベルトと密着できるよう付設  ▲９▼  左右から駆動されてくる動力の出力機  ▲１０▼  出力が完全であるため  ▲１１▼  全体が均整ある動きであるため